(57)【要約】      （修正有）【課題】部品点数が少なく簡単な構成で実現することができ、製造コストの低減化が可能で、かつ、夜間・昼間に限らず充分な視認性を備えた発光看板を提供する。【解決手段】前面パネルＦと背面パネルと左側面パネルと右側面パネルＲと上面パネルＵと下面パネルとを備えた発光看板であって、前記前面パネルは、透明又は半透明の基台パネルと、該基台パネルに貼着されたカラーシートと、該カラーシートに貼着され、透光部と遮光部とを有する遮光シートとを有し、少なくとも前記左側面パネルと前記右側面パネルと前記上面パネルと前記下面パネルとには、遮光手段が設けられており、前記背面パネルには、単一色ＬＥＤが取り付けられており、該単一色ＬＥＤから発光された光は、前記基台パネル、前記カラーシート、前記遮光シートの透光部の順に透過して、外部に照射されるように構成されていることを特徴とする。【選択図】図１
0003232611.tif 000002
【実用新案登録請求の範囲】
【請求項１】
前面パネルと背面パネルと左側面パネルと右側面パネルと上面パネルと下面パネルとを備えた発光看板であって、
前記前面パネルは、透明又は半透明の基台パネルと、該基台パネルに貼着されたカラーシートと、該カラーシートに貼着され、透光部と遮光部とを有する遮光シートとを有し、
少なくとも前記左側面パネルと前記右側面パネルと前記上面パネルと前記下面パネルとには、遮光手段が設けられており、
前記背面パネルには、単一色ＬＥＤが取り付けられており、
該単一色ＬＥＤから発光された光は、前記基台パネル、前記カラーシート、前記遮光シートの透光部の順に透過して、外部に照射されるように構成されている
ことを特徴とする発光看板。
【請求項２】
前記単一色のＬＥＤが、白色ＬＥＤである
ことを特徴とする請求項１に記載の発光看板。
【請求項３】
請求項１又は２に記載の発光看板を複数配設して構成された
ことを特徴とする発光集合看板。
【考案の詳細な説明】
【技術分野】
【０００１】
本考案は、発光看板に関し、特に、発光源として単一色のＬＥＤのみを用い、昼間・夜間に拘わらず優れた視認性を有する発光看板に関するものである。
【背景技術】
【０００２】
従来から、「一般にネオンサインと称されるイルミネーションが広く用いられている。このネオンサインは、文字や図柄に合わせて曲げ加工を施したネオン管を、店頭の出入口の上看板や、ビルの屋上に構築した広告塔、又は壁から道路上にせり出した袖看板などに取り付け、夜間これを点灯させて人目を引くようにしている。また、長い導線を用い、この導線に多数の豆天球を任意の間隔で直列に接続してなる発光部材を用いたイルミネーションも広く用いられている。この形のものは、上記導線の湾曲やねじれによって豆天球が各自ばらばらに勝手な方向を向いている。通常、このようなイルミネーションは、クリスマスの時期が近くなると各所で目にすることができる。また、豆電球等の発光体の向きが一定方向を向いているものとしては、帯状体の一面に、面に直角方向に向けて多数の発光体を配設し、これらを帯状体の内部に延在する導線に接続して発光させるようにしたものが実用化されている」（特許文献１の明細書段落「０００２」〜「０００４」等参照。）という技術が知られている。また、「照明型表示体には従来より各種のものがあった。その主なものはアルミ製、ステンレス製等の箱型をしたケース内に蛍光灯、ネオン灯、看板灯（通常の蛍光灯よりも光量を多くした看板用の蛍光灯）等の照明具（光源）が取付けられ、光源の外側からケースに広告や標識等が表示された乳白色のアクリル製の表示パネルが配置固定され、光源からの光により表示パネルをその内面側から照明するようにしたものである」（特許文献２の明細書段落「０００２」参照。）という技術も知られている。
【０００３】
また、近年では、上記特許文献１及び２に記載されているネオンサイン、豆電球、蛍光灯等の従来技術に代えて、発光看板の発光源として、ＬＥＤを用いる技術が普及している。例えば、特許文献３には、「図形・文字・記号などを立体的に表現できるし又背面をそのままの状況で透視して見る事ができる。又は背面にさまざまな物体を置く事で違った表現ができる事に加えて更に表示する色が自在にコントロールできる」（特許文献３の明細書段落「００１０」参照。）ことを目的として、「厚さが均一及び不均一な透過光樹脂版に側面からＬＥＤ（Ｌｉｇｈｔ  Ｅｍｉｔｈｉｎｇ  Ｄｉｏｄｅ  の略である）光源を照射することにより、樹脂板面上にあらかじめカット、クリア蛍光塗料を塗付した図形・文字・記号などをカラフルに表示をすることを特徴とするＬＥＤディスプレ装置でカラーコントロールが自在に出来る機能を有するＬＥＤディスプレ装置」（特許文献３の「請求項１」参照。）が記載されている。
【０００４】
また、特許文献４には、「昼間にもよく見えるように明るく発光できると共に、点滅させてさらによく目だつようにできる発光ダイオードの看板を提供する」（特許文献４の明細書段落「０００４」参照。）ことを目的として、「文字や図形の外周縁に沿って複数の発光ダイオード(4)を配設している第１ＬＥＤゾーン(28)と、この第１ＬＥＤゾーン(28)の内側に複数の発光ダイオード(4)を配設している第２ＬＥＤゾーン(29)と、第１ＬＥＤゾーン(28)と第２ＬＥＤゾーン(29)の発光ダイオード(4)を点灯する点灯回路(30)、(31)とを備え、第１ＬＥＤゾーン(28)は、発光チップの光を蛍光体で波長変換して発光する発光ダイオード(4)を配設しており、第２ＬＥＤゾーン(29)は発光チップの光を蛍光体で波長変換することなく発光させる発光ダイオード(4)を配設しており、第２ＬＥＤゾーン(29)の発光ダイオード(4)の点灯回路(31)は、第２ＬＥＤゾーン(29)の発光ダイオード(4)を点滅して発光させる点滅回路(32)を備え、第１ＬＥＤゾーン(28)の発光ダイオード(4)の点灯回路(30)は、第２ＬＥＤゾーン(29)の発光ダイオード(4)の点灯時間よりも長く点滅する点滅回路(33)を備え、あるいは点滅回路を備えることなく第１ＬＥＤゾーン(28)の発光ダイオード(4)を連続して点灯させるようにしてなる発光ダイオードの看板」（特許文献４の「請求項１」参照。）が記載されている。
【０００５】
また、特許文献５には、「数文字がある場合でも、光源を１つに纏めることができ、アルファベット筆記体や特殊フォント、漢字等、従来は困難であった繊細かつ複雑な意匠的表現が可能で、光ムラのない均一なライトアップ演出が可能な発光看板を提供する」（特許文献５の明細書段落「０００５」参照。）ことを目的として、「表面側が発光する面発光パネルと、前記面発光パネルから光が照射される、透光性を有する立体形状のデザインブロックと、前記面発光パネルの表面側を覆う第１透光パネルと、前記第１透光パネルの表面側に配置され、前記デザインブロックの形状に沿って切り抜かれた部分を有する第１遮光シートと、前記第１遮光シートの表面側に配置され、前記デザインブロックの形状に沿ってくり抜かれた部分を有する第２透光パネルと、を備え、前記デザインブロックは、前記第２透光パネルのくり抜かれた部分に嵌合され、前記第２透光パネルより表面側に突出されていることを特徴とする発光看板」（特許文献５の「請求項１」参照。）、「前記面発光パネルは、導光板と、前記導光板の側端部に配置されたＬＥＤテープライトと、を含むことを特徴とする請求項１又は２に記載の発光看板」（特許文献５の「請求項３」参照。）と記載されている。
【先行技術文献】
【特許文献】
【０００６】
【特許文献１】特開平０８−０３６３６８号公報
【特許文献２】特開平１０−０１２０３２号公報
【特許文献３】特開２００６−１４６１１１号公報
【特許文献４】特開２００３−０６６８８０号公報
【特許文献５】特許第６７５３６２６号公報
【考案の概要】
【考案が解決しようとする課題】
【０００７】
特許文献１，２に記載されたような上看板、ビルの屋上に構築した広告塔、又は、壁から道路上にせり出した袖看板等の発光看板の発光源として、特許文献３〜５に記載されたようにＬＥＤ（発光ダイオード）を用いる技術が普及しているが、特許文献３〜５に記載された発明には、問題点や、解決しなければならない課題もある。
【０００８】
例えば、特許文献３の図３からは、多数（１９個）のＬＥＤが設けられていることが見て取れる。また、特許文献３には、「加えて、マイクロコンピュータ（ＣＰＵ）によってカラーを自在にコントロールできるした」(特許文献３の明細書段落「００１５」、図５等参照。)と記載されているので、発光色の異なるＬＥＤを多数設ける必要があり、また、ＣＰＵ等の制御回路を必要とするので部品点数が増え、制御するためのプログラミングも必要である。このようなことから、特許文献３に記載された発明には、製造コストを低減できない虞があり、部品点数が多い分、構造が複雑となり、故障のリスクも高くなる。
【０００９】
また、特許文献４に記載された発明は、「看板本体１を文字や図形に沿う形状に延長して、その外形で特定の文字や図形を形成して表示している。図に示す看板は、看板本体１の外形でアルファベットの「Ｅ」を形成している。このタイプの看板は、図示しないが、複数の文字を組み合わせて、会社名や店名等の文字を広告として表示する」（特許文献４の明細書段落「００１４」、図１等参照。）と記載されているので、看板全体を複数の文字や図形で構成する場合には、文字や図形毎に「看板本体」を製作する必要があり、看板全体の構成が大型化・複雑化する虞があり、しかも、図３からは、「第１ＬＥＤゾーン２８」、「第２ＬＥＤゾーン２９」に設けられた「発光ダイオード。」の数は、それぞれ１００個以上もあり、製造コストの低減化も困難になり、メンテナンスも煩雑化する虞がある。
【００１０】
また、特許文献４には、「第２ＬＥＤゾーン２９に配設される複数の発光ダイオード４は、好ましくは、発光色の異なるものを使用する。第２ＬＥＤゾーン２９には、たとえば、複数個の赤色発光ダイオードと、複数個の青色発光ダイオードと、複数個の緑色発光ダイオードを配設する。発光色の異なる複数の発光ダイオード４は、規則正しく配列し、あるいは、ランダムに配列する。第２ＬＥＤゾーン２９に配設される異なる発光色の発光ダイオード４は、発光輝度を調整して照射される光の色調を種々に変更できる」（特許文献４の明細書段落「００２３」参照。）と記載されているので、複数色の発光ダイオードの色調を制御する回路が必要であり、制御回路、制御プログラム等を設けるために構成の複雑化・高コスト化が懸念される。
【００１１】
また、特許文献５に記載された発明は、特許文献４に記載された発明のような「複数ある文字一つ一つに複数の発光体を取付け」た構成の看板を改良した発明であるものの、「発光看板１は、裏面側から順に、面発光パネル２と、面発光パネル２の表面側を覆う第１透光パネル３と、第１透光パネル３の表面側に配置された第１遮光シート４と、第１遮光シート４の表面側に配置された第２透光パネル５と、第２透光パネル５のくり抜き部分に嵌合されるデザインブロック６と、デザインブロック６の表面を覆う第２遮光シート７と、を備えている。更に、デザインブロック６の「ａ」，「ｑ」，「ｅ」等の表面側から背面側に向かう貫通孔６０を有する文字の貫通孔に挿入されて、第１透光パネル３に取り付けられる第３遮光シート８を、発光看板１は備えている」(特許文献５の「請求項１」、明細書段落「０００９」、図１等参照。)、「面発光パネル２は、表面側が発光されるものであり、エッジライト方式、直下型方式等片面が発光するものであれば良いが、導光板９と、ＬＥＤ１１が複数取り付けられ導光板９の側端部に配置されたＬＥＤテープライト１０を備えるエッジライト方式の面発光パネルが特に良い」(特許文献５の明細書段落「００１０」、図１等参照。)、「図５は、発光看板１の構造を、店舗の壁面１３に取り付けた状態で示している。この図に示すように、面発光パネル２からの光は、第１透光パネル３を透過してデザインブロック６内に入り、」(特許文献５の明細書段落「００１９」、図５等参照。)と記載されているように、「ＬＥＤ１１」から発光された光を外部に照射するためには、「導光板９」、「第１透光パネル３」、「第１遮光シート４」、「第２透光パネル５」、「デザインブロック６」という複雑な構成が必要であり、低コスト化の実現が困難・組み立てに時間を要する等の問題が生じる虞がある。また、「ＬＥＤテープライト１０は、電源ケーブル（不図示）と信号ケーブル（不図示）が接続されており、電源ケーブルを通して外部の１００Ｖの商用電源と接続され、信号ケーブルを通してＬＥＤ１１の発光色を変化させる外部のコントローラ（不図示）と接続されている」（特許文献５の明細書段落「００１０」参照。）と記載されており、特許文献３、特許文献４と同様に制御回路、制御プログラム等を設けるために構成の複雑化・高コスト化が懸念される。
【００１２】
そこで、本考案においては、部品点数が少なく簡単な構成で実現することができ、製造コストの低減化が可能で、かつ、夜間・昼間に限らず充分な視認性を備えた発光看板を提供することを目的とする。
【００１３】
また、本考案においては、複数の本考案の発光看板を用いて構成し、部品点数が少なく簡単な構成で実現することができ、製造コストの低減化が可能で、かつ、夜間・昼間に限らず充分な視認性を備えた発光集合看板を提供することを目的とする。
【課題を解決するための手段】
【００１４】
上記の目的を達成するため、請求項１の考案は、前面パネルと背面パネルと左側面パネルと右側面パネルと上面パネルと下面パネルとを備えた発光看板であって、前記前面パネルは、透明又は半透明の基台パネルと、該基台パネルに貼着されたカラーシートと、該カラーシートに貼着され、透光部と遮光部とを有する遮光シートとを有し、少なくとも前記左側面パネルと前記右側面パネルと前記上面パネルと前記下面パネルとには、遮光手段が設けられており、前記背面パネルには、単一色ＬＥＤが取り付けられており、該単一色ＬＥＤから発光された光は、前記基台パネル、前記カラーシート、前記遮光シートの透光部の順に透過して、外部に照射されるように構成されていることを特徴とする。
【００１５】
また、請求項２の考案は、請求項１に記載の発光看板であって、前記単一色のＬＥＤが、白色ＬＥＤである
ことを特徴とする。
【００１６】
また、請求項３の考案は、請求項１又は２に記載の発光看板を複数配置して構成された発光集合看板であることを特徴とする。
【考案の効果】
【００１７】
本考案の発光看板又は発光集合看板によれば、部品点数が少なく簡単な構成で実現することができ、製造コストの低減化が可能で、かつ、夜間・昼間に限らず充分な視認性を備えたという顕著な効果を奏することができる。
【図面の簡単な説明】
【００１８】
【図１】本考案の第一の実施形態における発光看板の前方から見た外観斜視図である。
【図２】本考案の第一の実施形態における発光看板の左方から見た断面図である。
【図３】本考案の第一の実施形態における発光看板の前方から見た分解斜視図である。
【図４】本考案の第一の実施形態における発光看板の後方から見た分解斜視図である。
【図５】本考案の第一の実施形態における発光看板の発光原理図である。
【図６】本考案の第一の実施形態における発光看板を複数備えた発光集合看板である。
【図７】本考案の第二の実施形態における発光看板の後方から見た分解斜視図である。
【００１９】
以下、好適な実施形態を用いて本考案をさらに具体的に説明する。但し、下記の実施形態は本考案を具現化した例に過ぎず、本考案はこれに限定されるものではない。
【００２０】
（第一の実施形態）
本考案の第一の実施形態におけるに発光看板について、図１〜図６を参照しながら説明する。図１は、本考案の第一の実施形態における発光看板の前方から見た外観斜視図であり、図２は、本考案の第一の実施形態における発光看板の左方から見た断面図であり、図３は、本考案の第一の実施形態における発光看板の前方から見た分解斜視図であり、図４は、本考案の第一の実施形態における発光看板の後方から見た分解斜視図であり、図５は、本考案の第一の実施形態における発光看板の発光原理図である、図６は、本考案の第一の実施形態における発光看板を複数備えた発光集合看板である。
【００２１】
本考案の発光看板１は、図に示すように、前面パネルＦと、背面パネルＢＫと、左側面パネルＬと、右側面パネルＲと、上面パネルＵと、下面パネルＢＴとを備えた略直方体の箱型に形成されている。前面パネルＦと背面パネルＢＫとが対向して設けられ、左側面パネルＬと右側面パネルＲとが対向して設けられ、上面パネルＵと下面パネルＢＴとが対向して設けられている。左側面パネルＬは、半透明の左側面アクリル板Ｌａと黒色の左側面遮光シートＬｓを備え、右側面パネルＲは、半透明の右側面アクリル板Ｒａと黒色の右側面遮光シートＲｓを備え、上面パネルＵは、半透明の上面アクリル板Ｕａと黒色の上面遮光シートＵｓとを備え、下面パネルＢＴは、半透明の下面アクリル板ＢＴａと黒色の下面遮光シートＢＴｓとを備えている。それぞれの半透明のアクリル板は、透明のアクリル板でもよく、また、アクリル板に代えて塩ビ板を用いてもよい。それぞれの遮光シートは、対応するアクリル板に接着剤又は両面粘着テープ等で貼着されている。また、それぞれのアクリル板と対応する遮光シートは、略同一サイズの矩形状に加工されている。
【００２２】
背面パネルＢＫは、断面Ｌ字状に加工された透明又は半透明の一対の背面アクリル板ＢＫａ（塩ビ板でもよい。）が、矩形状の背面アルミ複合板ＢＫｃの上部及び下部にそれぞれ接合されて構成されている。背面パネルＢＫに用いられる背面アルミ複合板ＢＫｃは、看板等によく用いられる市販されている材料（アルミ複合板）であり、表面が光沢又はマット状に仕上げてあるので、取り付けられるＬＥＤの光を反射することができる。各パネルの厚さは適宜設定されてよく、本実施形態では、約２ｍｍ〜３ｍｍの厚さのものを使用している。また、塩ビ製の黒色の遮光シートも市販品を所望の大きさに加工したものであり、厚さは、０．１ｍｍ程度のものを用いているが、色・厚さ等は、用途・遮光性能・製造コスト等を考慮して適宜決めればよい。なお、遮光シートは、遮光フィルムと表現されていることもある。
【００２３】
左側面パネルＬ、右側面パネルＲ、上面パネルＵ、下面パネルＢＴの表面にそれぞれ黒色の遮光シートＬｓ，Ｒｓ，Ｕｓ，ＢＴｓが貼着されている理由は、内部に配設されたＬＥＤ（発光ダイオード）の光が、目的外の方向へ漏れることを防ぐためである。なお、背面パネルＢＫは、通常、壁等に密接して取り付けられるので、遮光シートは、あってもなくてもよい。また、アルミ複合板は、もともと遮光性を有している。背面パネルＢＫから光が漏れて、発光看板の視認性を劣化させるような場合には、遮光シートを設ければよい。
【００２４】
背面パネルＢＫには、電源ケーブル２ａと電源プラグ２ｂと有するＬＥＤテープライト２が設けられている。ＬＥＤテープライト２は、市販されているものでよく、本実施形態では、ＡＣ１００Ｖの商用電源で作動し、ＬＥＤ（発光ダイオード）２ｃを３個備えたＬＥＤユニット２ｄが４ユニット接続されたものである。４つのＬＥＤユニット２ｄは、それぞれ、剥離可能な接着剤や両面テープ等で背面パネルＢＫに着脱可能に貼着されている。ＬＥＤの数や発光強度は、必要に応じて適宜変更されてよいが、本考案が上述した従来技術と異なるのは、単一色、好ましくは、白色のＬＥＤを用いていることである。これにより、本考案の発光看板では、従来技術のように発光色を変化させる必要がなく、そのための制御回路が不要であり、部品点数が少なく構成が簡単であり、製造コストの低下が期待できる。なお、本実施形態では、ＬＥＤ２ｃの発光のオンオフは、電源プラグ２ｂの電源コンセント（不図示）からの着脱で行っているが、例えば、ＬＥＤユニット２ｄと電源プラグ２ｂとの間にスイッチ（不図示）を設けて、電源プラグ２ｂを電源コンセントに接続したままで、スイッチを操作することによりＬＥＤ２ｃの発光のオンオフを行なってもよい。本考案においては、ＬＥＤ２ｃの発光色を変化させる必要がないので、ＬＥＤコントローラ等の余分な回路が不要である。なお、右側面パネルＲ（右側面アクリル板Ｒａ及び右側面遮光シートＲｓ）には、電源ケーブル２ａを通過させるための凹部６が形成されている。
【００２５】
本考案では、ＬＥＤ２ｃの発光方式（バックライト方式）は、従来技術（特許文献３、４）のようなエッジライト方式ではなく、直下型方式を用いている。背面パネルＢＫに取付けられたＬＥＤ２ｃの発光は、前面パネルＦを通して外部に照射される。本考案においては、光を屈折させるなど複雑な構成のエッジライト方式を用いなくても、簡単な構成の直下型方式で、発光看板として充分な視認性を得ることができる。
【００２６】
前面パネルＦは、基台パネルとしての前面アクリル板Ｆａの外側の表面に前面カラーシート（カラーフィルムともいう。）Ｆｃ及び前面遮光シート（遮光フィルムともいう。）Ｆｓが貼着されて構成されている。詳細には、前面カラーシートＦｃが前面アクリル板Ｆａの外側表面に貼着され、前面遮光シートＦｓが、前面カラーシートＦｃの外側表面に貼着されている。つまり、前面パネルＦは、前面アクリル板Ｆａ（基台パネル）、前面カラーシートＦｃ、前面遮光シートＦｓの三層構造である。この前面カラーシートＦｃの色が、発光看板１の外部に照射される光の色となる。前面カラーシートＦｃは、市販されているものでよく、材質は、例えば、塩ビ製である。本実施形態では、前面カラーシートＦｃは、前面パネルＦを構成する前面アクリル板Ｆａと同一形状に加工されているが、前面遮光シートＦｓに形成された透光部３を完全に覆うことができるような（覆設されるような）形状に形成されていればよい。本実施形態では、前面カラーシートＦｓは、青色のものを選択したので、前面カラーシートＦｃを透過した単一色の白色光は、青色に変換され、変換された青色光が前面遮光シートＦｓの透光部３を通過して外部に照射される（図５等参照。）。
【００２７】
前面遮光シートＦｓは、遮光性を有するシートであり、色は発光看板１のユーザの希望により適宜決めればよいが、本実施形態では、前面遮光シートＦｓの色は、ステンレス・マット仕上調の色合いをなしている。そして、前面遮光シートＦｓには、各文字が一定の幅を有する「スナック」の文字が、前面遮光シートＦｓを貫通して切り抜かれている。この切り抜かれた貫通孔の部分が透光部３であり、前面遮光シートＦｓの透光部３以外の部分が遮光部４である。ＬＥＤテープライト２に設けられたＬＥＤ２ｃから発光された単一色の白色光は、半透明の青色の前面カラーシートＦｃを透過して青色に変換され、この変換された青色の光は、前面遮光シートＦｓの遮光部４では遮光され、透光部３を透過し、外部に照射される（図５等参照。）。ＬＥＤ２ｃから発光された白色光は、透光部３以外の部分からは遮光されるので、外部からは、透光部３から照射された青色の光が鮮明に照射され、昼間・夜間を問わず、充分な視認性を有する。なお、背面アルミ複合板ＢＫｃやその他のアクリル板等で反射されたＬＥＤ２ｃの反射光の一部も透光部３から外部に照射される。なお、前面カラーシートＦｃ及び前面遮光シートＦｓの色は、ユーザーの所望の色に変更可能である。
【００２８】
従来技術（例えば、特許文献３、特許文献５等）を利用しようとすると、前面アクリル板Ｆａに「スナック」の各文字を切り抜かねばならず、加工が容易ではない。しかしながら、本考案の実施形態では、前面アクリル板Ｆａを切り抜きせずに、前面アクリル板Ｆａの外側表面に所望の前面カラーシートＦｃを貼着し、さらに前面カラーシートＦｃの外側表面に透光部３及び遮光部４を有する前面遮光シートＦｓを貼着する構成にしたので、前面遮光シートＦｓの切り抜き加工（カッティング）は容易であるので、簡単に製作することができる。また、本実施形態では、文字「スナック」は、比較的簡単な形状の文字を例にしたが、例えば、レーザーカッティング技術を用いれば、複雑な文字・複雑な図形も容易に切り抜き加工することができる。
【００２９】
そして、本考案の発光看板１を複数配設して、図６に示すような発光集合看板１００を構成することができる。発光集合看板１００は、前面遮光シートＦｃに各ユーザの希望による文字又は図形を切り抜いて形成された本考案の発光看板１１〜２２を、枠体５内に隣接して複数個配設して構成されたものである。具体的には、発光集合看板１００は、発光看板１と大きさ（幅、高さ、奥行きが同じで、前面遮光シートの透光部のデザインが異なるもの。）が１２個（発光看板１１）と、発光看板１と高さ・奥行きが同じで幅が２倍の発光看板１０が１個からなる構成にしたが、これらの構成は適宜変更されてよい。また、各発光看板１０〜２２の前面パネルの前面カラーシートの色は、それぞれのユーザーの所望の色が選択されている。発光集合看板１００においては、個々の発光看板１０〜２２が充分な視認性を有するので、全体としても充分な視認性を備えることができた。また、各発光看板１１〜２２は、好ましくは、サイズを統一したほうがよいが、高さを一定にして、横幅をユーザの希望に応じて変更してもよい。また、電源コードは、全体で一つに纏めるか、または、複数個単位に纏めてもよい。
【００３０】
以上のように構成したので、本考案の発光看板又は発光集合看板によれば、部品点数が少なく簡単な構成で実現することができ、製造コストの低減化が可能で、かつ、夜間・昼間に限らず充分な視認性を備えたという顕著な効果を奏することができる。
【００３１】
（第二の実施形態）
図７は、本考案の第二の実施形態における発光看板の後方から見た分解斜視図である。第二の実施形態の発光看板５０が、第一の実施形態の発光看板１と異なる点は、背面パネルの構造のみである。発光看板１では、背面パネルＢＫは、背面アルミ複合板ＢＫｃと、この背面アルミ複合板ＢＫｃの上側と下側に取付けられた一対の背面アクリル板ＢＫａとを備えているが、発光看板５０の背面パネルＢＫ２は、アルミ複合板を用いずに、断面コ字形状のアクリル板で形成された背面アクリル板ＢＫａ２と、この背面アクリル板ＢＫａ２の外側の表面に貼着された背面遮光シートＢＫｓ２とで形成されている。背面遮光シートＢＫｓ２は、前面遮光シートＦｓと同一の素材が使用されている。なお、背面遮光シートＢＫｓ２の色は、黒色以外、例えば、白色にしてもよく、必要に応じて適宜変更することができる。発光看板５０は、その余の構成については、発光看板１と同じであり、効果も同等であるので、説明を省略する。
【符号の説明】
【００３２】
１，１０，１１，１２，１３，１４，１５，１６，１７，１８，１９，２０，２１，２２，５０  発光看板
２      ＬＥＤテープライト
２ａ    電源ケーブル
２ｂ    電源プラグ
２ｃ    ＬＥＤ
２ｄ    ＬＥＤユニット
３      透光部
４      遮光部
５      枠体
６      凹部
１００  発光集合看板
ＢＫ，ＢＫ２    背面パネル
ＢＫａ，ＢＫａ２    背面アクリル板
ＢＫｃ  背面アルミ複合板
ＢＫｓ２  背面遮光シート
ＢＴ    下面パネル
ＢＴａ  下面アクリル板
ＢＴｓ  下面遮光シート
Ｆ      前面パネル
Ｆａ    前面アクリル板
Ｆｃ    前面カラーシート
Ｆｓ    前面遮光シート
Ｌ      左側面パネル
Ｌａ    左側面アクリル板
Ｌｓ    左側面遮光シート
Ｒ      右側面パネル
Ｒａ    右側面アクリル板
Ｒｓ    右側面遮光シート
Ｕ      上面パネル
Ｕａ    上面アクリル板
Ｕｓ    上面遮光シート
【図１】
0003232611.tif 000003
【図２】
0003232611.tif 000004
【図３】
0003232611.tif 000005
【図４】
0003232611.tif 000006
【図５】
0003232611.tif 000007
【図６】
0003232611.tif 000008
【図７】
0003232611.tif 000009